(57)【要約】  ＩＰＴＶ放送サービスを利用するＳＴＢ装置に記録されたユーザ作成コンテンツを他のＳＴＢ装置から直接再生制御する。  ＩＰＴＶ放送サービスにより提供される配信コンテンツを受信する複数のＳＴＢ装置５０を含むコンテンツ配信システム１００におけるコンテンツ配信方法であって、ＳＴＢ装置５０で、ユーザが作成したユーザ作成コンテンツを、他のＳＴＢ装置５０との間で通信を行うＳＴＢ装置間通信手段を介して他のＳＴＢ装置５０へ配信するコンテンツ配信ステップと、配信コンテンツ及びユーザ作成コンテンツを視聴するコンテンツ視聴ステップを実行し、コンテンツ視聴ステップで、ユーザ作成コンテンツを保持するＳＴＢ装置５０に対し、ＳＴＢ装置間通信手段を介してユーザ作成コンテンツの再生制御を直接行う。
2011118498.tif 000002
【特許請求の範囲】
【請求項１】
ＩＰＴＶ放送サービスにより提供される配信コンテンツを受信する複数のＳＴＢ装置を含むコンテンツ配信システムにおけるコンテンツ配信方法であって、
前記ＳＴＢ装置で、
ユーザが作成したユーザ作成コンテンツを、他のＳＴＢ装置との間で通信を行うＳＴＢ装置間通信手段を介して前記他のＳＴＢ装置へ配信するコンテンツ配信ステップと、
前記配信コンテンツ及びユーザ作成コンテンツを視聴するコンテンツ視聴ステップを実行し、
前記コンテンツ視聴ステップで、
前記ユーザ作成コンテンツを保持する前記ＳＴＢ装置に対し、前記ＳＴＢ装置間通信手段を介して前記ユーザ作成コンテンツの再生制御を直接行うことを特徴とするコンテンツ配信方法。
【請求項２】
コンテンツ配信システムの所定のＵＩ画面を配信するＵＩ画面配信サーバが、
前記ユーザ作成コンテンツに関する所定のコンテンツ付加情報を含んだポータル画面を、所定の前記ＳＴＢ装置へ配信するポータル画面配信ステップを実行することを特徴とする請求項１に記載のコンテンツ配信方法。
【請求項３】
前記ＳＴＢ装置で、
前記ユーザ作成コンテンツを公開する旨の公開通知を、前記ユーザ作成コンテンツの公開情報を管理するコンテンツ管理サーバに通知する公開通知ステップを実行し、
前記コンテンツ管理サーバが、
前記公開通知に対し、公開する前記ユーザ作成コンテンツの公開先情報を、前記ＳＴＢ装置から取得する公開先情報取得ステップと、
前記公開通知に対し、公開する前記ユーザ作成コンテンツの前記コンテンツ付加情報を、前記ＳＴＢ装置から取得するコンテンツ付加情報取得ステップと、
取得した前記公開先情報と前記コンテンツ付加情報を関連付けて公開情報として登録する公開情報登録ステップと、
前記公開情報を格納する公開情報格納ステップとを実行することを特徴とする請求項１又は請求項２に記載のコンテンツ配信方法。
【請求項４】
前記コンテンツ管理サーバの前記公開情報登録ステップで、
登録した前記公開情報を前記ＵＩ画面配信サーバへ通知し、
前記ＵＩ画面配信サーバの前記ポータル画面配信ステップで、
前記公開情報に含まれる前記コンテンツ付加情報を含んだポータル画面を、前記付加情報に含まれる公開先情報に基づき所定の前記ＳＴＢ装置へ配信することを特徴とする請求項３に記載のコンテンツ配信方法。
【請求項５】
前記ＵＩ画面配信サーバで、
前記公開先情報を入力するための公開先情報登録画面を配信する公開先情報登録画面配信ステップと、
前記コンテンツ付加情報を入力するためのコンテンツ付加情報登録画面を配信するコンテンツ付加情報登録画面配信ステップを実行し、
前記コンテンツ管理サーバの前記公開先情報取得ステップで、
前記ＵＩ画面配信サーバに対し、前記公開先情報登録画面を前記ＳＴＢ装置へ配信する旨の指示を行い、
前記コンテンツ管理サーバのコンテンツ付加情報取得ステップで、
前記ＵＩ画面配信サーバに対し、前記コンテンツ付加情報登録画面を前記ＳＴＢ装置へ配信する旨の指示を行うことを特徴とする請求項３又は請求項４に記載のコンテンツ配信方法。
【請求項６】
前記コンテンツ管理サーバで、
前記ＳＴＢ装置から受信した前記公開先情報で指定された公開先ユーザが、前記公開先情報を通知したＳＴＢ装置を使用する前記ユーザからのユーザ作成コンテンツの配信を許可されているか否かを、前記ユーザの顧客情報を格納する顧客情報管理サーバに問い合わせることを特徴とする請求項３から請求項５の何れか１項に記載のコンテンツ配信方法。
【請求項７】
前記コンテンツ管理サーバの前記コンテンツ付加情報取得ステップで、
前記公開先ユーザが、前記公開先情報を通知したＳＴＢ装置を使用する前記ユーザからのユーザ作成コンテンツの配信を許可されていない場合は、前記コンテンツ付加情報を取得することなく、前記公開情報登録ステップの前記公開情報の登録を中止することを特徴とする請求項６に記載のコンテンツ配信方法。
【請求項８】
前記コンテンツ管理サーバで、
前記ＳＴＢ装置から所定の前記ユーザ作成コンテンツの視聴要求を受け付ける視聴要求受付ステップと、
前記視聴要求をした前記ＳＴＢ装置と、視聴要求された前記ユーザ作成コンテンツを保持する前記ＳＴＢ装置とのリンクを確立するリンク確立ステップを実行し、
前記リンク確立ステップで、
前記視聴要求された前記ユーザ作成コンテンツを保持する前記ＳＴＢ装置の顧客ＩＤを、前記問い合わせステップによって前記顧客管理サーバから取得し、当該顧客ＩＤを前記視聴要求をした前記ＳＴＢ装置に通知するとともに、前記視聴要求をした前記ＳＴＢ装置の顧客ＩＤを、前記視聴要求された前記ユーザ作成コンテンツを保持する前記ＳＴＢ装置へ通知することを特徴とする請求項３から請求項７の何れか１項に記載のコンテンツ配信方法。
【請求項９】
ＩＰＴＶ放送サービスにおけるコンテンツ配信システムであって、
前記ＩＰＴＶ放送サービスにより提供される配信コンテンツを受信する複数のＳＴＢ装置を備え、
前記ＳＴＢ装置は、
前記配信コンテンツを受信する通信手段と、
他のＳＴＢ装置との間で通信を行うＳＴＢ装置間通信手段と、
ユーザが作成したユーザ作成コンテンツを、前記ＳＴＢ装置間通信手段を介して前記他のＳＴＢ装置へ配信するユーザ作成コンテンツ配信手段と、
前記配信コンテンツ及びユーザ作成コンテンツを視聴するコンテンツ視聴手段とを備え、
前記コンテンツ視聴手段は、
前記ユーザ作成コンテンツを保持する前記ＳＴＢ装置に対し、前記ＳＴＢ装置間通信手段を介して前記ユーザ作成コンテンツの再生制御を直接行うことを特徴とするコンテンツ配信システム。
【請求項１０】
ＩＰＴＶ放送サービスにより提供される配信コンテンツを受信する複数のＳＴＢ装置を含むコンテンツ配信システムにおけるコンテンツ配信プログラムであって、
前記ＳＴＢ装置に、
ユーザが作成したユーザ作成コンテンツを、他のＳＴＢ装置との間で通信を行うＳＴＢ装置間通信手段を介して前記他のＳＴＢ装置へ配信するコンテンツ配信処理と、
前記配信コンテンツ及びユーザ作成コンテンツを視聴するコンテンツ視聴処理とを実行させ、
前記コンテンツ視聴処理で、
前記ユーザ作成コンテンツを保持する前記ＳＴＢ装置に対し、前記ＳＴＢ装置間通信手段を介して前記ユーザ作成コンテンツの再生制御を直接行うことを特徴とするコンテンツ配信プログラム。
【発明の詳細な説明】
【技術分野】
【０００１】
本発明は、ＩＰＴＶ（Ｉｎｔｅｒｎｅｔ  Ｐｒｏｔｏｃｏｌ  ＴｅｌｅＶｉｓｉｏｎ）放送サービスに関し、特に、ＩＰＴＶ放送サービスを利用するＳＴＢ（Ｓｅｔ  Ｔｏｐ  Ｂｏｘ）装置に記録したユーザ作成コンテンツ（ＵＧＣ：ｕｓｅｒ−ｇｅｎｅｒａｔｅｄ  ｃｏｎｔｅｎｔ）を他のＳＴＢ装置から直接視聴するコンテンツ配信システム、コンテンツ配信方法及びコンテンツ配信プログラムに関する。
【背景技術】
【０００２】
近年、ＮＧＮ（Ｎｅｘｔ  Ｇｅｎｅｒａｔｉｏｎ  Ｎｅｔｗｏｒｋ）網を利用したＩＰＴＶ放送サービスが提供されている。その理由の１つは、地上アナログ放送が停波する２０１１年に向けて円滑に地上デジタル放送に移行させることである。また、別の理由は、地上アナログ放送の視聴可能エリアに対し地上デジタル放送のカバー率を１００％にするためである。【０００３】
さらに、ＩＰＴＶ放送サービスでは双方向性を利用した多チャンネル放送やＶｏＤ（Ｖｉｄｅ  ｏｎ  Ｄｅｍａｎｄ）サービスが提供されている。また、インターネットでユーザ自身がコンテンツをサーバにアップロードし、誰でも視聴可能なＣＧＭ（Ｃｏｎｓｕｍｅｒ  Ｇｅｎｅｒａｔｅｄ  Ｍｅｄｉａ）もサービスが始まっている。【０００４】
しかしながら、家庭用ハイビジョンビデオカメラの普及により、ユーザ自身が作成した映像コンテンツの高画質化が進み、これに伴い、該コンテンツをアップロードするコンテンツサーバの負荷が増大してきている。【０００５】
そこで、Ｐ２Ｐ（Ｐｅａｒ  Ｔｏ  Ｐｅａｒ）技術による、サーバの負荷分散方式が提案され、運用されているが、１つのコンテンツのユーザが少数の場合にはサーバとの接続となり、複数の高画質コンテンツを配信する際にはサーバの負荷分散の効果は得られなかった。【０００６】
ここで、ユーザが作成したコンテンツが記録されたＳＴＢ装置を遠隔操作で直接視聴する装置に関連する技術を以下に挙げる。【０００７】
特許文献１には、コンテンツが記録されたＰＶＲ（Ｐｅｒｓｏｎａｌ  Ｖｉｄｅｏ  Ｒｅｃｏｄｅｒ）を遠隔地にて携帯電話によって視聴する方法が開示されている。この特許文献１記載の方法は、ＰＶＲに記録されたコンテンツ情報をサーバに登録し、遠隔地からサーバの個人ＨＰ（Ｈｏｍｅ  Ｐａｇｅ）にアクセスし視聴できるコンテンツ情報を取得し、サーバに対して再生要求を行い、ＰＶＲはサーバからの指示により視聴要求のあった携帯電話にコンテンツを配信することにより遠隔地でのコンテンツ視聴を可能にするものである。
【先行技術文献】
【特許文献】
【０００８】
【特許文献１】特開２００９−１１８５２２号公報
【特許文献２】特開２００６−３０９４５２号公報
【発明の概要】
【発明が解決しようとする課題】
【０００９】
特許文献１記載の方法においては、コンテンツ情報をサーバにアップロードし、携帯端末からサーバのＨＰを見て、サーバに対して再生要求を行うため、携帯端末からはどのＰＶＲにどのようなコンテンツが記録されているか知る手段はなく、さらに再生要求を行った後コンテンツの一時停止や早送り・巻き戻しなどの操作を行うためには一度サーバを経由した制御となるため、ネットワークによっては遅延が生じる可能性があった。【００１０】
また、一般的にＣＧＭを扱うサービスは、コンテンツ配信サーバに映像コンテンツをアップロードし、他のユーザはサーバ上の映像コンテンツを視聴する形態であり、多数の映像コンテンツがアップロードされ、多数のコンテンツ視聴をされる場合にはサーバの負荷が過大になりそれぞれの映像コンテンツの再生に支障をきたす可能性があった。【００１１】
（発明の目的）
本発明の目的は、上述した課題を解決し、ＩＰＴＶ放送サービスを利用するＳＴＢ装置に記録されたユーザ作成コンテンツを他のＳＴＢ装置から直接再生制御することが可能なコンテンツ配信システム、コンテンツ配信方法及びコンテンツ配信プログラムを提供することである。
【課題を解決するための手段】
【００１２】
本発明の第１のコンテンツ配信方法は、ＩＰＴＶ放送サービスにより提供される配信コンテンツを受信する複数のＳＴＢ装置を含むコンテンツ配信システムにおけるコンテンツ配信方法であって、ＳＴＢ装置で、ユーザが作成したユーザ作成コンテンツを、他のＳＴＢ装置との間で通信を行うＳＴＢ装置間通信手段を介して他のＳＴＢ装置へ配信するコンテンツ配信ステップと、配信コンテンツ及びユーザ作成コンテンツを視聴するコンテンツ視聴ステップを実行し、コンテンツ視聴ステップで、ユーザ作成コンテンツを保持するＳＴＢ装置に対し、ＳＴＢ装置間通信手段を介してユーザ作成コンテンツの再生制御を直接行う。【００１３】
本発明の第１のコンテンツ配信システムは、ＩＰＴＶ放送サービスにおけるコンテンツ配信システムであって、ＩＰＴＶ放送サービスにより提供される配信コンテンツを受信する複数のＳＴＢ装置を備え、ＳＴＢ装置は、配信コンテンツを受信する通信手段と、他のＳＴＢ装置との間で通信を行うＳＴＢ装置間通信手段と、ユーザが作成したユーザ作成コンテンツを、ＳＴＢ装置間通信手段を介して他のＳＴＢ装置へ配信するユーザ作成コンテンツ配信手段と、配信コンテンツ及びユーザ作成コンテンツを視聴するコンテンツ視聴手段とを備え、コンテンツ視聴手段は、ユーザ作成コンテンツを保持するＳＴＢ装置に対し、ＳＴＢ装置間通信手段を介してユーザ作成コンテンツの再生制御を直接行う。【００１４】
本発明の第１のコンテンツ配信プログラムは、ＩＰＴＶ放送サービスにより提供される配信コンテンツを受信する複数のＳＴＢ装置を含むコンテンツ配信システムにおけるコンテンツ配信プログラムであって、ＳＴＢ装置に、ユーザが作成したユーザ作成コンテンツを、他のＳＴＢ装置との間で通信を行うＳＴＢ装置間通信手段を介して他のＳＴＢ装置へ配信するコンテンツ配信処理と、配信コンテンツ及びユーザ作成コンテンツを視聴するコンテンツ視聴処理とを実行させ、コンテンツ視聴処理で、ユーザ作成コンテンツを保持するＳＴＢ装置に対し、ＳＴＢ装置間通信手段を介してユーザ作成コンテンツの再生制御を直接行う。
【発明の効果】
【００１５】
本発明によれば、ＩＰＴＶ放送サービスを利用するＳＴＢ装置に記録されたユーザ作成コンテンツを他のＳＴＢ装置から直接再生制御することができる。
【図面の簡単な説明】
【００１６】
【図１】本発明の第１の実施の形態によるユーザ作成コンテンツ配信システムの構成を示すブロック図である。
【図２】第１の実施の形態によるＳＴＢ装置の構成を示すブロック図である。
【図３】第１の実施の形態によるコンテンツ管理サーバの構成を示すブロック図である。
【図４】第１の実施の形態によるＵＩ画面配信サーバの構成を示すブロック図である。
【図５】第１の実施の形態による顧客情報管理サーバの構成を示すブロック図である。
【図６】第１の実施の形態によるユーザ作成コンテンツ配信システムの動作を示すフローチャートである。
【図７】第１の実施の形態によるＳＴＢ装置のユーザ作成コンテンツ登録の動作を示すフローチャートである。
【図８】本発明のＳＴＢ装置のハードウェア構成例を示すブロック図である。
【発明を実施するための形態】
【００１７】
次に、本発明の実施の形態について、図面を参照して詳細に説明する。なお、すべての図面において、同様な構成要素には同様の符号を付し，適宜説明を省略する。
【００１８】
（第１の実施の形態）
まず、本発明の第１の実施の形態について、図１〜図５を参照して詳細に説明する。以下の図において、本発明の本質に関わらない部分の構成については省略してあり、図示されていない。
【００１９】
まず、図１を参照すると、図１は、本発明の第１の実施の形態によるコンテンツ配信システム１００の構成を示すブロック図である。
【００２０】
コンテンツ配信システム１００は、ＩＰＴＶ放送サービスのサービス提供者が提供する配信コンテンツを格納するコンテンツ配信サーバ６０と、コンテンツの管理を行うコンテンツ管理サーバ１０と、ＵＩ（Ｕｓｅｒ  Ｉｎｔｅｒｆａｃｅ）画面及を配信するＵＩ画面配信サーバ２０と、サービス利用ユーザの情報を管理する顧客情報管理サーバ３０と、ＣＤＮ（Ｃｏｎｔｅｎｔｓ  Ｄｅｌｉｖｅｒｙ  Ｎｅｔｗｏｒｋ）４０と、ユーザ１宅のＳＴＢ装置５０＃１と、ユーザ２宅のＳＴＢ装置５０＃２と、を備える。
【００２１】
コンテンツ配信システム１００は、ＩＰＴＶ放送サービスに加入しているユーザが、コンテンツ配信サーバ６０からの配信コンテンツを視聴するとともに、ユーザが作成した映像コンテンツ（以下、ユーザ作成コンテンツと称す）を、他のユーザが容易に視聴可能にするものである。
【００２２】
なお、本実施の形態ではユーザ数は２人としているが、これに限定されず、ユーザ数は２人以上の自然数であれば数十人、数百人、数万人であってもよい。
【００２３】
ＣＤＮ４０は、コンテンツ配信を行うためのネットワークである。
【００２４】
次に、図２を参照すると、図２は、本実施の形態のＳＴＢ装置５０の構成を示す図である。なお、本図は機能的構成についての図であり、ＳＴＢ装置５０のハードウェア構成については別途図８を用いて後述する。
【００２５】
ＳＴＢ装置５０は、ＩＰＴＶ放送を受信して、該放送信号をテレビ受像機で視聴可能な信号に変換する装置である。
【００２６】
ＳＴＢ装置５０は、外部との通信を行う通信手段５１０と、ユーザ作成コンテンツをＳＤカード等の外部記録メディアから読み取る読み取り手段５２０と、ユーザ作成コンテンツを格納する記憶手段５３０と、読み取ったユーザ作成コンテンツを記憶手段５３０に複製する複製手段５７０と、配信コンテンツ及びユーザ作成コンテンツを視聴するコンテンツ視聴手段５４０と、ユーザ作成コンテンツを他のＳＴＢ装置へ配信するユーザ作成コンテンツ配信手段５５０と、他のＳＴＢ装置との間で直接通信を行うＳＴＢ装置間通信手段５６０と、ユーザ作成コンテンツの公開通知を行う公開通知手段５８０とを含む。
【００２７】
また、ＳＴＢ装置５０は、一般的なＳｅｔ  Ｔｏｐ  Ｂｏｘが備える機能を有する。例えば、ＳＴＢ装置５０の電源をＯＮにした場合や、所定の操作を行った場合、所定のポータル画面を接続先のテレビ受像機に表示する。本実施の形態においてはこれら一般的な機能については説明を省略する。
【００２８】
通信手段５１０は、ＣＤＮ４０を介して外部とデータの送受信を行う機能を有する。
【００２９】
通信手段５１０は、コンテンツ管理サーバ１０と送受信を行う。
【００３０】
また、通信手段５１０は、コンテンツ配信サーバ６０から配信コンテンツを受信する。
【００３１】
また、通信手段５１０は、ＵＩ画面配信サーバ２０から公開先情報登録画面又はコンテンツ付加情報登録画面を受信する。公開先情報登録画面、コンテンツ付加情報登録画面の詳細については後述する。
【００３２】
また、通信手段５１０は、ＵＩ画面配信サーバ２０から配信された公開先情報登録画面に従いユーザが入力した情報を、公開先情報としてコンテンツ管理サーバ１０に通知する。公開先情報とは、公開先のＩＰ電話番号や、ＩＰアドレス情報や、予め登録しておいたメンバリスト等である。
【００３３】
また、通信手段５１０は、ＵＩ画面配信サーバ２０から配信されたコンテンツ付加情報登録画面に従いユーザが入力した情報を、コンテンツ付加情報としてコンテンツ管理サーバ１０に通知する。コンテンツ付加情報の詳細については後述する。
【００３４】
読み取り手段５２０は、ＳＤカード等の外部記録メディアに格納されているデータを読み取る機能を有する。
【００３５】
複製手段５７０は、読み取り手段５２０が読み取ったユーザ作成コンテンツが、記憶手段５３０に記録されていない場合に、当該ユーザ作成コンテンツを記憶手段５３０にコピーする機能を有する。
【００３６】
公開通知手段５８０は、該ユーザ作成コンテンツのコピーが完了すると、新規にユーザ作成コンテンツが登録されたことを通信手段５１０を介してコンテンツ管理サーバ１０に通知する機能を有する。なお、該通知はコピーが行われた場合自動的に通知することとしてもよいし、コピー完了後、任意により通知することとしても良い。
【００３７】
記憶手段５３０は、ユーザ作成コンテンツを記憶する機能を有する。
【００３８】
ユーザ作成コンテンツ配信手段５５０は、記憶手段５３０に格納されているユーザ作成コンテンツを、ＳＴＢ装置間通信手段５６０を介して他のＳＴＢ装置５０に配信する機能を有する。
【００３９】
ＳＴＢ装置間通信手段５６０は、ＣＤＮ４０を介して他のＳＴＢ装置とデータの送受信を行う機能を有する。
【００４０】
ＳＴＢ装置間通信手段５６０は、ユーザ作成コンテンツ配信手段５５０の指示に基づき他のＳＴＢ装置５０にユーザ作成コンテンツを配信する。
【００４１】
また、ＳＴＢ装置間通信手段５６０は、他のＳＴＢ装置５０からのユーザコンテンツを受信する。
【００４２】
次に、図３を参照すると、図３は、本実施の形態のコンテンツ管理サーバ１０の構成を示す図である。
【００４３】
コンテンツ管理サーバ１０は、公開先情報取得手段１１０と、問い合わせ手段１２０と、コンテンツ付加情報取得手段１３０と、リンク確立手段１４０と、公開情報登録手段１５０と、公開情報格納手段１６０と、視聴要求受付手段１７０とを含む。
【００４４】
公開情報格納手段１６０は、公開されるユーザ作成コンテンツの情報（以下、公開情報と称す）を格納する機能を有する。公開情報の詳細は後述する。
【００４５】
公開先情報取得手段１１０は、ＳＴＢ装置５０から公開通知を受けると、ＵＩ画面配信サーバ２０に対し、公開先情報登録画面を当該ＳＴＢ装置５０に配信するよう指示する機能を有する。
【００４６】
視聴要求受付手段１７０は、ＳＴＢ装置５０から、所定のユーザ作成コンテンツの視聴要求を受け付ける機能を有する。
【００４７】
問い合わせ手段１２０は、顧客上方管理サーバへ所定の問い合わせを行う機能を有する。
【００４８】
問い合わせ手段１２０は、ＳＴＢ装置５０から受信した公開先情報で指定された公開先ユーザが、該ＳＴＢ装置５０のユーザからのユーザ作成コンテンツの配信を許可されてるか否かを、顧客情報管理サーバ３０へ問い合せる。
【００４９】
また、問い合わせ手段１２０は、視聴要求受付手段１７０がＳＴＢ装置５０から視聴要求を受けると、視聴要求のあったユーザ作成コンテンツを保持するＳＴＢ装置５０の顧客ＩＤを顧客情報管理サーバ３０へ問い合せる。
【００５０】
コンテンツ付加情報取得手段１３０は、ＳＴＢ装置５０から受信した公開先情報で指定された公開先ユーザが、当該ＳＴＢ装置５０のユーザからのユーザ作成コンテンツの配信を許可されていた場合に、ＵＩ画面配信サーバ２０に対し、コンテンツ付加情報登録画面を当該ＳＴＢ装置５０に配信するよう指示する。
【００５１】
公開情報登録手段１５０は、ＳＴＢ装置５０からコンテンツ付加情報を受信すると、該コンテンツ付加情報と公開先情報を関連付けて公開情報として公開情報格納手段１６０へ格納し、登録した公開情報をＵＩ画面配信サーバ２０へ通知する。
【００５２】
なお、登録した公開情報のみならず、既に登録されている公開情報であって、該登録した公開情報の公開先ユーザが視聴できる他の公開情報も一緒に通知することも当然可能であるが、本実施の形態では、説明の便宜上、他の公開情報についてはないものとして説明する。
【００５３】
ここで、コンテンツ付加情報とは、ユーザ作成コンテンツのＳＴＢ装置５０への記録日時、ユーザ作成コンテンツの公開情報がコンテンツ管理サーバ５０１０へ登録された登録日時、ユーザ作成コンテンツのサムネイル、ユーザ作成コンテンツのタイトル、ユーザ作成コンテンツの記録時間等である。
【００５４】
視聴要求受付手段は、ＳＴＢ装置５０から、所定のユーザ作成コンテンツの視聴要求を受け付ける機能を有する。
【００５５】
リンク確立手段１４０は、視聴要求を行ったＳＴＢ装置５０に、視聴要求されたユーザ作成コンテンツを保持するＳＴＢ装置５０の顧客ＩＤを通知すると共に、一方、視聴要求されたユーザ作成コンテンツを保持するＳＴＢ装置５０に、視聴要求を行ったＳＴＢ装置５０の顧客ＩＤを通知することで、該２つのＳＴＢ装置間のリンクを確立する機能を有する。
【００５６】
なお、視聴要求したＳＴＢ装置５０の顧客ＩＤは視聴要求受付手段１７０が受信した視聴要求より明らかであり、視聴要求されたユーザ作成コンテンツを保持するＳＴＢ装置５０の顧客ＩＤは、問い合わせ手段１２０を介して顧客情報管理サーバ３０へ問い合わせる。
【００５７】
次に、図４を参照すると、図４は、本実施の形態のＵＩ画面配信サーバ２０の構成を示す図である。
【００５８】
ＵＩ画面配信サーバ２０は、ポータル画面配信手段２１０と、公開先情報登録画面配信手段２２０と、コンテンツ付加情報登録画面配信手段２３０とを含む。
【００５９】
ポータル画面配信手段２１０は、ＳＴＢ装置５０の電源がＯＮになったときや所定の操作により接続先テレビ受像機に表示されるポータル画面を配信する機能を有する。ポータル画面とは、ＩＰＴＶ放送サービスの入り口となる画面で、各種サービス等を表示する。
【００６０】
ポータル画面配信手段２１０は、コンテンツ管理サーバ１０から公開情報を受信した場合は、該公開情報に含まれるコンテンツ付加情報をＵＩ情報として含めたポータル画面をＳＴＢ装置５０へ配信する。ＵＩ情報とは、サービス提供者からユーザへ知らせたい事柄を伝えるためのテキストや画像等の情報をいう。
【００６１】
該ポータル画面の配信先は、公開情報に含まれる公開先情報に基づくが、公開情報に含まれる公開先情報は顧客ＩＤとは限られないため、公開先情報が顧客ＩＤでない場合、ポータル画面配信手段２１０は、該公開先情報に基づいて顧客ＩＤを顧客情報管理サーバ３０から取得する。
【００６２】
公開先情報登録画面配信手段２２０は、コンテンツ管理サーバ１０からの要求に従い、公開先情報登録画面を所定のＳＴＢ装置５０へ配信する機能を有する。公開先情報登録画面は、公開先を登録できるようになっており、ユーザは公開先情報として相手先のＩＰ電話番号や、ＩＰアドレス情報や、予め登録しておいたメンバリスト等を登録できる。
【００６３】
コンテンツ付加情報登録画面配信手段２３０は、コンテンツ管理サーバ１０からの要求に従い、コンテンツ付加情報登録画面を所定のＳＴＢ装置５０へ配信する機能を有する。
【００６４】
次に、図５を参照すると、図５は、本実施の形態の顧客情報管理サーバ３０の構成を示す図である。
【００６５】
顧客情報管理サーバ３０は、顧客情報を管理する機能を有し、顧客情報を格納する顧客情報格納手段３１０と、コンテンツ管理サーバ１０及びＵＩ画面配信サーバ２０からの問い合わせに対する結果を応答する応答手段３２０とを含む。
【００６６】
（第１の実施の形態の動作の説明）
次に、本実施の形態によるコンテンツ配信システム１００の動作について、図面を参照して詳細に説明する。
【００６７】
まず、ＩＰＴＶ放送サービスに加入しているユーザ１宅に設置されているＳＴＢ装置５０＃１に記録された映像コンテンツを、ユーザ２宅に設置されているＳＴＢ装置５０＃２にて視聴する方法を例として、図２のフローチャートを示し合わせて動作説明を行う。
【００６８】
まず、外部記録メディアに記録されているユーザ１制作の新規ユーザ作成コンテンツを読み取り手段５２０で読み取ると、複製手段５７０が、新規ユーザ作成コンテンツを記憶手段５３０に複製し、次いで、公開通知手段５８０が、コンテンツ管理サーバ１０に公開通知を送信する（ステップＳ６０１）。
【００６９】
次いで、コンテンツ管理サーバ１０の公開先情報取得手段１１０は、ＵＩ画面配信サーバ２０に対し、ＳＴＢ装置５０＃１に公開先情報登録画面を配信するよう指示する（ステップＳ６０２）。
【００７０】
次いで、ＵＩ画面配信サーバ２０の公開先情報登録画面配信手段２２０は、公開先情報登録画面をユーザ１宅のＳＴＢ装置５０＃１に配信する（ステップＳ６０３）。
【００７１】
次いで、ＳＴＢ装置５０＃１の通信手段５１０は、公開先情報登録画面に従いユーザが入力した情報を、公開先情報としてコンテンツ管理サーバ１０に通知する。（ステップＳ６０４）。
【００７２】
次いで、コンテンツ管理サーバ１０の問い合わせ手段１２０は、ＳＴＢ装置５０＃１から受信した公開先情報で指定された公開先であるユーザ２が、該ユーザ１からのユーザ作成コンテンツの配信を許可されてるか否かを、顧客情報管理サーバ３０に問い合わせる（ステップＳ６０５）。
【００７３】
次いで、顧客情報管理サーバ３０の応答手段３２０は、該配信許否結果をコンテンツ管理サーバ１０に通知する（ステップＳ６０６）。
【００７４】
ユーザ２がユーザ１からのコンテンツ配信が許可されていた場合、コンテンツ管理サーバ１０のコンテンツ付加情報取得手段１３０は、ＵＩ画面配信サーバ２０に対して、コンテンツ付加情報登録画面をＳＴＢ装置５０＃１に配信するよう指示する（ステップＳ６０７）。
【００７５】
次いで、ＵＩ画面配信サーバ２０のコンテンツ付加情報登録画面配信手段２３０は、コンテンツ付加情報登録画面をＳＴＢ装置５０＃１に配信する（ステップＳ６０８）。なお、このとき、コンテンツ付加情報登録画面をコンテンツ管理サーバ１０が予め保持しておき、コンテンツ管理サーバ１０が該コンテンツ付加情報登録画面を送信してもよい。
【００７６】
次いで、ＳＴＢ装置５０＃１の通信手段５１０は、コンテンツ付加情報登録画面に従いユーザが入力した情報を、コンテンツ付加情報としてコンテンツ管理サーバ１０に通知する。（ステップＳ６０９）。
【００７７】
次いで、コンテンツ管理サーバ１０の公開情報登録手段１５０は、ＳＴＢ装置５０＃１から受信したコンテンツ付加情報と公開先情報とを関連付けて公開情報として公開情報報格納手段１４０へ格納すると共に、該公開情報をＵＩ画面配信サーバ２０へ通知する（ステップＳ６１０）。
【００７８】
次いで、ＵＩ画面配信サーバ２０のポータル画面配信手段２１０は、公開情報に含まれる公開先情報を用いて、公開先であるユーザ２の顧客ＩＤを顧客情報管理サーバ３０に問い合わせる（ステップＳ６１１）。該公開先情報がユーザ２の顧客ＩＤであった場合はこの処理は省略できる。
【００７９】
次いで、顧客情報管理サーバ３０の応答手段３２０は、公開先であるユーザ２の顧客ＩＤをＵＩ画面配信サーバ２０に通知する（ステップＳ６１２）。
【００８０】
次いで、ＵＩ画面配信サーバ２０のポータル画面配信手段２１０は、公開情報のコンテンツ付加情報をＵＩ情報として含めたポータル画面をＳＴＢ装置５０＃２へ配信する（ステップＳ６１３）。
【００８１】
次いで、ＳＴＢ装置５０＃２の電源がＯＮになった場合、或いは所定の操作等により、公開情報のコンテンツ付加情報を含んだポータル画面がＳＴＢ装置５０＃２の接続先テレビ受像機に表示される。
【００８２】
次いで、ユーザ２が、該公開情報のコンテンツ付加情報で示したユーザ作成コンテンツの視聴を選択すると、ＳＴＢ装置５０＃２のコンテンツ視聴手段５４０は、コンテンツ管理サーバ１０に該ユーザ作成コンテンツの視聴要求を行う（ステップＳ６１４）。
【００８３】
次いで、コンテンツ管理サーバ１０の視聴要求受付手段１７０が該視聴要求を受信すると、問い合わせ手段１２０は、顧客情報サーバ３０へ、視聴要求されたユーザ作成コンテンツを保持するＳＴＢ装置＃１の顧客ＩＤを問い合わせる（ステップＳ６１５）。
【００８４】
次いで、コンテンツ情報サーバ３０の応答手段３２０は、ＳＴＢ装置＃１の顧客ＩＤをコンテンツ管理サーバ１０へ通知する（ステップＳ６１６）。
【００８５】
次いで、コンテンツ管理サーバ１０のリンク確立手段１４０は、ＳＴＢ装置５０＃１にＳＴＢ装置５０＃２の顧客ＩＤを通知し（ステップＳ６１７）、ＳＴＢ装置５０＃２にＳＴＢ装置５０＃１の顧客ＩＤを通知し（ステップＳ６１８）、ＳＴＢ装置５０＃１とＳＴＢ装置５０＃２のリンクを確立させる。
【００８６】
次いで、ＳＴＢ装置５０＃１のユーザ作成コンテンツ配信手段５５０は、ＳＴＢ装置５０＃２に向け、視聴要求されたユーザ作成コンテンツの配信をＣＤＮ４０を通して行う（ステップＳ６１９）。
【００８７】
ユーザ２宅では、ＳＴＢ装置５０＃２にて配信を受けたユーザ作成コンテンツを視聴し、一時停止などのトリックプレイに関してはＲＴＳＰ（Ｒｅａｌ  Ｔｉｍｅ  Ｓｔｒｅａｍｉｎｇ  Ｐｒｏｔｏｃｏｌ）で直接ＳＴＢ装置５０＃１へ再生制御を行う（ステップＳ６２０）。
【００８８】
次に、ＳＴＢ装置５０が新規にユーザ作成コンテンツを登録した時の動作に関して、図７のフローチャートを参照して説明する。
【００８９】
ビデオカメラで撮影したユーザ作成コンテンツが記録されたＳＤカードが読み取り手段５２０に挿入されると（ステップＳ７０１）、複製手段５７０が、ＳＤカードに記録されたユーザ作成コンテンツの中に記憶手段５３０に記録されていないユーザ作成コンテンツがあるかを検索する（ステップＳ７０２）。記録されていないユーザ作成コンテンツが見つかった場合（ステップＳ７０３”ＹＥＳ”）、複製手段５７０は、ＳＤカード内の該ユーザ作成コンテンツを記憶部５０３にコピーする（ステップＳ７０３）と共に、該ユーザ作成コンテンツに関連付けて、コピーした日時情報、録画された日時情報、サムネイル及び記録時間をコンテンツ付加情報として記憶手段５３０に登録する（ステップＳ７０４）。
【００９０】
新規ユーザ作成コンテンツのコピー完了を待ち（ステップＳ７０５）、コピーが完了すると（ステップＳ７０５”ＹＥＳ”）、公開通知手段５８０は、公開通知を通信手段５１０を介してコンテンツ管理サーバ１０に通知する（ステップＳ７０６）。
【００９１】
該公開通知に対し、ＵＩ配信サーバ２０から公開先情報登録画面が配信され、ユーザが配信された公開先情報登録画面に従い情報を入力すると、通信手段５１０が、該情報を公開先情報としてコンテンツ管理サーバ１０に通知する（ステップＳ７０７）。
【００９２】
このとき、公開先情報に関してはＩＰＴＶ契約時に予め登録している場合にはスキップすることも可能である。さらに新規に相手先を登録する際にリモコンのテンキーで登録できるように相手先のＩＰ電話番号や、ＩＰアドレスを登録させても良い。
【００９３】
次いで、公開先が決定すると、ＵＩ配信サーバ２０からコンテンツ付加情報登録画面が配信される。ユーザが配信されたコンテンツ付加情報登録画面に従い情報を入力すると、通信手段５１０が、該情報をコンテンツ付加情報としてコンテンツ管理サーバ１０に通知し（ステップＳ７０８）、コンテンツ管理サーバにて公開情報の登録作業が行われる。
【００９４】
（第１の実施の形態による効果）
次に本実施の形態の効果について説明する。
【００９５】
本実施の形態によれば、ＳＴＢ装置間で直接ユーザ作成コンテンツの視聴・配信が可能となる。
【００９６】
その理由は、コンテンツ管理サーバ１０が、視聴要求を行ったＳＴＢ装置と視聴要求に係るユーザ作成コンテンツを保持するＳＴＢ装置とのリンクを確立させるからである。
【００９７】
これにより、ユーザ作成コンテンツを視聴するＳＴＢ装置は、一時停止などの再生制御を直接ユーザ作成コンテンツを保持するＳＴＢ装置５０へ指示できる。
【００９８】
また、本実施の形態によれば、ユーザは他のユーザが新規にユーザ作成コンテンツを公開したことを容易に知ることができ、かつ、容易に視聴要求を行うことができる
【００９９】
その理由は、コンテンツ管理サーバは、新規に公開情報が登録された場合、該公開情報をＵＩ画面配信サーバ２０に通知し、該通知を受けたＵＩ画面配信サーバ２０は、該公開情報に係るユーザ作成コンテンツの公開先ＳＴＢ装置５０に対し、公開情報のコンテンツ付加情報をＵＩ情報として含めたポータル画面を配信するからである。
【０１００】
これにより、該ポータル画面の配信を受けたユーザは、該ＵＩ情報をクリックする等の簡単な操作で、視聴要求を行うことができる。
【０１０１】
次に、本発明のＳＴＢ装置５０のハードウェア構成例について、図８を参照して説明する。図８はＳＴＢ装置５０のハードウェア構成例を示すブロック図である。
【０１０２】
図８を参照すると、ＳＴＢ装置５０は、一般的なコンピュータ装置と同様のハードウェア構成であり、ＣＰＵ（Ｃｅｎｔｒａｌ  Ｐｒｏｃｅｓｓｉｎｇ  Ｕｎｉｔ）８０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部８０２、ネットワークを介してデータの送受信を行う通信部８０３、入力装置８０５や出力装置８０６及び記憶装置８０７と接続してデータの送受信を行う入出力インタフェース部８０４、上記各構成要素を相互に接続するシステムバス８０８を備えている。記憶装置８０７は、例えば、ＲＯＭ（Ｒｅａｄ  Ｏｎｌｙ  Ｍｅｍｏｒｙ）、磁気ディスク、半導体メモリ等の不揮発性メモリから構成されるハードディスク装置等で実現される。
【０１０３】
本発明のＳＴＢ装置５０のコンテンツ視聴手段５４０、ユーザ作成コンテンツ配信手段５５０、複製手段５７０は、公開通知手段５８０は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置８０７に格納し、そのプログラムを主記憶部８０２にロードしてＣＰＵ８０１で実行することにより、ソフトウェア的に実現することも可能である。
【０１０４】
以上好ましい実施の形態をあげて本発明を説明したが、本発明は必ずしも、上記実施の形態に限定されるものでなく、その技術的思想の範囲内において様々に変形して実施することができる。
【０１０５】
なお、以上の構成要素の任意の組合せ、本発明の表現を方法、装置、システム、記録媒体、コンピュータプログラムなどの間で変換したものもまた、本発明の態様として有効である。
【０１０６】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【０１０７】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【０１０８】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【０１０９】
さらに、上記実施形態の一部又は全部は、以下の付記のようにも記載されうるが、これに限定されない。
【０１１０】
（付記１）
ＩＰＴＶ放送サービスにおけるコンテンツ配信システムであって、
前記ＩＰＴＶ放送サービスにより提供される配信コンテンツを受信する複数のＳＴＢ装置を備え、
前記ＳＴＢ装置は、
前記配信コンテンツを受信する通信手段と、
他のＳＴＢ装置との間で通信を行うＳＴＢ装置間通信手段と、
ユーザが作成したユーザ作成コンテンツを、前記ＳＴＢ装置間通信手段を介して前記他のＳＴＢ装置へ配信するユーザ作成コンテンツ配信手段と、
前記配信コンテンツ及びユーザ作成コンテンツを視聴するコンテンツ視聴手段とを備え、
前記コンテンツ視聴手段は、
前記ユーザ作成コンテンツを保持する前記ＳＴＢ装置に対し、前記ＳＴＢ装置間通信手段を介して前記ユーザ作成コンテンツの再生制御を直接行うことを特徴とするコンテンツ配信システム。
【０１１１】
（付記２）
所定のＵＩ画面を配信するＵＩ画面配信サーバを備え、
前記ＵＩ画面配信サーバは、
前記ユーザ作成コンテンツに関する所定のコンテンツ付加情報を含んだポータル画面を、所定の前記ＳＴＢ装置へ配信するポータル画面配信手段を含むことを特徴とする付記１に記載のコンテンツ配信システム。
【０１１２】
（付記３）
前記ユーザ作成コンテンツの公開情報を管理するコンテンツ管理サーバを備え、
前記ＳＴＢ装置は、
前記ユーザ作成コンテンツを公開する旨の公開通知を、前記通信手段を介して前記コンテンツ管理サーバに通知する公開通知手段を含み、
前記コンテンツ管理サーバは、
前記公開通知に対し、公開する前記ユーザ作成コンテンツの公開先情報を、前記ＳＴＢ装置から取得する公開先情報取得手段と、
前記公開通知に対し、公開する前記ユーザ作成コンテンツの前記コンテンツ付加情報を、前記ＳＴＢ装置から取得するコンテンツ付加情報取得手段と、
取得した前記公開先情報と前記コンテンツ付加情報を関連付けて公開情報として登録する公開情報登録手段と、
前記公開情報を格納する公開情報格納手段とを含むことを特徴とする付記１又は付記２に記載のコンテンツ配信システム。
【０１１３】
（付記４）
前記コンテンツ管理サーバの前記公開情報登録手段は、
登録した前記公開情報を前記ＵＩ画面配信サーバへ通知し、
前記ＵＩ画面配信サーバの前記ポータル画面配信手段は、
前記公開情報に含まれる前記コンテンツ付加情報を含んだポータル画面を、前記付加情報に含まれる公開先情報に基づき所定の前記ＳＴＢ装置へ配信することを特徴とする付記３に記載のコンテンツ配信システム。
【０１１４】
（付記５）
前記ＵＩ画面配信サーバは、
前記公開先情報を入力するための公開先情報登録画面を配信する公開先情報登録画面配信手段と、
前記コンテンツ付加情報を入力するためのコンテンツ付加情報登録画面を配信するコンテンツ付加情報登録画面配信手段とを含み、
前記コンテンツ管理サーバの前記公開先情報取得手段は、
前記ＵＩ画面配信サーバに対し、前記公開先情報登録画面を前記ＳＴＢ装置へ配信する旨の指示を行い、
前記コンテンツ管理サーバのコンテンツ付加情報取得手段は、
前記ＵＩ画面配信サーバに対し、前記コンテンツ付加情報登録画面を前記ＳＴＢ装置へ配信する旨の指示を行うことを特徴とする付記３又は付記４に記載のコンテンツ配信システム。
【０１１５】
（付記６）
前記ユーザの顧客情報を格納する顧客情報格納手段を含む顧客情報管理サーバを備え、
前記コンテンツ管理サーバは、
前記ＳＴＢ装置から受信した前記公開先情報で指定された公開先ユーザが、前記公開先情報を通知したＳＴＢ装置を使用する前記ユーザからのユーザ作成コンテンツの配信を許可されているか否かを、前記顧客情報管理サーバに問い合わせる問合せ手段を備えることを特徴とする付記３から付記５の何れか１項に記載のコンテンツ配信システム。
【０１１６】
（付記７）
前記コンテンツ管理サーバの前記コンテンツ付加情報取得手段は、
前記公開先ユーザが、前記公開先情報を通知したＳＴＢ装置を使用する前記ユーザからのユーザ作成コンテンツの配信を許可されていない場合は、前記コンテンツ付加情報を取得することなく、前記公開情報登録手段による前記公開情報の登録を中止することを特徴とする付記６に記載のコンテンツ配信システム。
【０１１７】
（付記８）
前記ＵＩ画面配信サーバの前記ポータル画面配信手段は、
前記コンテンツ管理サーバから前記公開情報を受信すると、前記公開情報に含まれる公開先情報を用いて、前記公開先ユーザの顧客ＩＤを前記顧客情報管理サーバへ問い合わせ、該問い合わせに対し受信した前記顧客ＩＤに基づいて、前記ポータル画面を配信することを特徴とする付記６又は付記７に記載のコンテンツ配信システム。
【０１１８】
（付記９）
前記コンテンツ管理サーバは、
前記ＳＴＢ装置から所定の前記ユーザ作成コンテンツの視聴要求を受け付ける視聴要求受付手段と、
前記視聴要求をした前記ＳＴＢ装置と、視聴要求された前記ユーザ作成コンテンツを保持する前記ＳＴＢ装置とのリンクを確立するリンク確立手段を含み、
前記リンク確立手段は、
前記視聴要求された前記ユーザ作成コンテンツを保持する前記ＳＴＢ装置の顧客ＩＤを、前記問い合わせ手段を介して前記顧客管理サーバから取得し、当該顧客ＩＤを前記視聴要求をした前記ＳＴＢ装置に通知するとともに、前記視聴要求をした前記ＳＴＢ装置の顧客ＩＤを、前記視聴要求された前記ユーザ作成コンテンツを保持する前記ＳＴＢ装置へ通知することを特徴とする付記３から付記８の何れか１項に記載のコンテンツ配信サーバ。
【０１１９】
（付記１０）
前記ＳＴＢ装置は、
外部記録メディアからデータを読み取る読み取り手段と、
前記読み取り手段が読み取ったデータのうち、前記記憶手段に格納されていない前記ユーザ作成コンテンツを、前記記憶手段に複製する複製手段とを含み、
前記公開通知手段は、
前記複製が完了すると、前記公開通知を前記コンテンツ管理サーバへ自動的に通知することを特徴とする付記３から付記９に記載のコンテンツ配信システム。
【０１２０】
（付記１１）
前記コンテンツ付加情報は、
前記ユーザ作成コンテンツの前記ＳＴＢ装置への記録日時、前記ユーザ作成コンテンツの前記公開情報が前記コンテンツ管理サーバへ登録された登録日時、前記ユーザ作成コンテンツのサムネイル、前記ユーザ作成コンテンツのタイトル、前記ユーザ作成コンテンツの記録時間のうち、少なくとも２つ以上の情報が記録されていることを特徴とする付記２から付記１０の何れか１項に記載のコンテンツ配信システム。
【０１２１】
（付記１２）
前記公開先情報は、
予め設定されている公開先の所定のユーザ情報、公開先のＩＰ電話番号、公開先のＩＰアドレスの何れかであることを特徴とする付記３から付記１１の何れか１項に記載のコンテンツ配信システム。
【０１２２】
（付記１３）
ＩＰＴＶ放送サービスにより提供される配信コンテンツを受信する複数のＳＴＢ装置を含むコンテンツ配信システムにおけるコンテンツ配信方法であって、
前記ＳＴＢ装置で、
ユーザが作成したユーザ作成コンテンツを、他のＳＴＢ装置との間で通信を行うＳＴＢ装置間通信手段を介して前記他のＳＴＢ装置へ配信するコンテンツ配信ステップと、
前記配信コンテンツ及びユーザ作成コンテンツを視聴するコンテンツ視聴ステップを実行し、
前記コンテンツ視聴ステップで、
前記ユーザ作成コンテンツを保持する前記ＳＴＢ装置に対し、前記ＳＴＢ装置間通信手段を介して前記ユーザ作成コンテンツの再生制御を直接行うことを特徴とするコンテンツ配信方法。
【０１２３】
（付記１４）
コンテンツ配信システムの所定のＵＩ画面を配信するＵＩ画面配信サーバが、
前記ユーザ作成コンテンツに関する所定のコンテンツ付加情報を含んだポータル画面を、所定の前記ＳＴＢ装置へ配信するポータル画面配信ステップを実行することを特徴とする付記１３に記載のコンテンツ配信方法。
【０１２４】
（付記１５）
前記ＳＴＢ装置で、
前記ユーザ作成コンテンツを公開する旨の公開通知を、前記ユーザ作成コンテンツの公開情報を管理するコンテンツ管理サーバに通知する公開通知ステップを実行し、
前記コンテンツ管理サーバが、
前記公開通知に対し、公開する前記ユーザ作成コンテンツの公開先情報を、前記ＳＴＢ装置から取得する公開先情報取得ステップと、
前記公開通知に対し、公開する前記ユーザ作成コンテンツの前記コンテンツ付加情報を、前記ＳＴＢ装置から取得するコンテンツ付加情報取得ステップと、
取得した前記公開先情報と前記コンテンツ付加情報を関連付けて公開情報として登録する公開情報登録ステップと、
前記公開情報を格納する公開情報格納ステップとを実行することを特徴とする付記１３又は付記１４に記載のコンテンツ配信方法。
【０１２５】
（付記１６）
前記コンテンツ管理サーバの前記公開情報登録ステップで、
登録した前記公開情報を前記ＵＩ画面配信サーバへ通知し、
前記ＵＩ画面配信サーバの前記ポータル画面配信ステップで、
前記公開情報に含まれる前記コンテンツ付加情報を含んだポータル画面を、前記付加情報に含まれる公開先情報に基づき所定の前記ＳＴＢ装置へ配信することを特徴とする付記１５に記載のコンテンツ配信方法。
【０１２６】
（付記１７）
前記ＵＩ画面配信サーバで、
前記公開先情報を入力するための公開先情報登録画面を配信する公開先情報登録画面配信ステップと、
前記コンテンツ付加情報を入力するためのコンテンツ付加情報登録画面を配信するコンテンツ付加情報登録画面配信ステップを実行し、
前記コンテンツ管理サーバの前記公開先情報取得ステップで、
前記ＵＩ画面配信サーバに対し、前記公開先情報登録画面を前記ＳＴＢ装置へ配信する旨の指示を行い、
前記コンテンツ管理サーバのコンテンツ付加情報取得ステップで、
前記ＵＩ画面配信サーバに対し、前記コンテンツ付加情報登録画面を前記ＳＴＢ装置へ配信する旨の指示を行うことを特徴とする付記１５又は付記１６に記載のコンテンツ配信方法。
【０１２７】
（付記１８）
前記コンテンツ管理サーバで、
前記ＳＴＢ装置から受信した前記公開先情報で指定された公開先ユーザが、前記公開先情報を通知したＳＴＢ装置を使用する前記ユーザからのユーザ作成コンテンツの配信を許可されているか否かを、前記ユーザの顧客情報を格納する顧客情報管理サーバに問い合わせることを特徴とする付記１５から付記１７の何れか１項に記載のコンテンツ配信方法。
【０１２８】
（付記１９）
前記コンテンツ管理サーバの前記コンテンツ付加情報取得ステップで、
前記公開先ユーザが、前記公開先情報を通知したＳＴＢ装置を使用する前記ユーザからのユーザ作成コンテンツの配信を許可されていない場合は、前記コンテンツ付加情報を取得することなく、前記公開情報登録ステップの前記公開情報の登録を中止することを特徴とする付記１８に記載のコンテンツ配信方法。
【０１２９】
（付記２０）
前記ＵＩ画面配信サーバの前記ポータル画面配信ステップで、
前記コンテンツ管理サーバから前記公開情報を受信すると、前記公開情報に含まれる公開先情報を用いて、前記公開先ユーザの顧客ＩＤを前記顧客情報管理サーバへ問い合わせ、該問い合わせに対し受信した前記顧客ＩＤに基づいて、前記ポータル画面を配信することを特徴とする付記１８又は付記１９に記載のコンテンツ配信方法。
【０１３０】
（付記２１）
前記コンテンツ管理サーバで、
前記ＳＴＢ装置から所定の前記ユーザ作成コンテンツの視聴要求を受け付ける視聴要求受付ステップと、
前記視聴要求をした前記ＳＴＢ装置と、視聴要求された前記ユーザ作成コンテンツを保持する前記ＳＴＢ装置とのリンクを確立するリンク確立ステップを実行し、
前記リンク確立ステップで、
前記視聴要求された前記ユーザ作成コンテンツを保持する前記ＳＴＢ装置の顧客ＩＤを、前記問い合わせステップによって前記顧客管理サーバから取得し、当該顧客ＩＤを前記視聴要求をした前記ＳＴＢ装置に通知するとともに、前記視聴要求をした前記ＳＴＢ装置の顧客ＩＤを、前記視聴要求された前記ユーザ作成コンテンツを保持する前記ＳＴＢ装置へ通知することを特徴とする付記１５から付記２０の何れか１項に記載のコンテンツ配信方法。
【０１３１】
（付記２２）
前記コンテンツ付加情報は、
前記ユーザ作成コンテンツの前記ＳＴＢ装置への記録日時、前記ユーザ作成コンテンツの前記公開情報が前記コンテンツ管理サーバへ登録された登録日時、前記ユーザ作成コンテンツのサムネイル、前記ユーザ作成コンテンツのタイトル、前記ユーザ作成コンテンツの記録時間のうち、少なくとも２つ以上の情報が記録されていることを特徴とする付記１４から付記２１の何れか１項に記載のコンテンツ配信方法。
【０１３２】
（付記２３）
前記公開先情報は、
予め設定されている公開先の所定のユーザ情報、公開先のＩＰ電話番号、公開先のＩＰアドレスの何れかであることを特徴とする付記１５から付記２２の何れか１項に記載のユーザ作成コンテンツ配信方法。
【０１３３】
（付記２４）
ＩＰＴＶ放送サービスにより提供される配信コンテンツを受信する複数のＳＴＢ装置を含むコンテンツ配信システムにおけるコンテンツ配信プログラムであって、
前記ＳＴＢ装置に、
ユーザが作成したユーザ作成コンテンツを、他のＳＴＢ装置との間で通信を行うＳＴＢ装置間通信手段を介して前記他のＳＴＢ装置へ配信するコンテンツ配信処理と、
前記配信コンテンツ及びユーザ作成コンテンツを視聴するコンテンツ視聴処理とを実行させ、
前記コンテンツ視聴処理で、
前記ユーザ作成コンテンツを保持する前記ＳＴＢ装置に対し、前記ＳＴＢ装置間通信手段を介して前記ユーザ作成コンテンツの再生制御を直接行うことを特徴とするコンテンツ配信プログラム。
【０１３４】
（付記２５）
コンテンツ配信システムの所定のＵＩ画面を配信するＵＩ画面配信サーバに、
前記ユーザ作成コンテンツに関する所定のコンテンツ付加情報を含んだポータル画面を、所定の前記ＳＴＢ装置へ配信するポータル画面配信処理を実行させることを特徴とする付記２４に記載のコンテンツ配信プログラム。
【０１３５】
（付記２６）
前記ＳＴＢ装置に、
前記ユーザ作成コンテンツを公開する旨の公開通知を、前記ＳＴＢ装置間通信手段を介して、前記ユーザ作成コンテンツの公開情報を管理するコンテンツ管理サーバに通知する公開通知処理を実行させ、
前記コンテンツ管理サーバに、
前記公開通知に対し、公開する前記ユーザ作成コンテンツの公開先情報を、前記ＳＴＢ装置から取得する公開先情報取得処理と、
前記公開通知に対し、公開する前記ユーザ作成コンテンツの前記コンテンツ付加情報を、前記ＳＴＢ装置から取得するコンテンツ付加情報取得処理と、
取得した前記公開先情報と前記コンテンツ付加情報を関連付けて公開情報として登録する公開情報登録処理と、
前記公開情報を格納する公開情報格納処理とを、実行させることを特徴とする付記２４又は付記２５に記載のコンテンツ配信プログラム。
【０１３６】
（付記２７）
前記コンテンツ管理サーバの前記公開情報登録処理で、
登録した前記公開情報を前記ＵＩ画面配信サーバへ通知し、
前記ＵＩ画面配信サーバの前記ポータル画面配信処理で、
前記公開情報に含まれる前記コンテンツ付加情報を含んだポータル画面を、前記付加情報に含まれる公開先情報に基づき所定の前記ＳＴＢ装置へ配信することを特徴とする付記２６に記載のコンテンツ配信プログラム。
【０１３７】
（付記２８）
前記ＵＩ画面配信サーバに、
前記公開先情報を入力するための公開先情報登録画面を配信する公開先情報登録画面配信処理と、
前記コンテンツ付加情報を入力するためのコンテンツ付加情報登録画面を配信するコンテンツ付加情報登録画面配信処理とを、実行させ、
前記コンテンツ管理サーバの前記公開先情報取得処理で、
前記ＵＩ画面配信サーバに対し、前記公開先情報登録画面を前記ＳＴＢ装置へ配信する旨の指示を行い、
前記コンテンツ管理サーバのコンテンツ付加情報取得処理で、
前記ＵＩ画面配信サーバに対し、前記コンテンツ付加情報登録画面を前記ＳＴＢ装置へ配信する旨の指示を行うことを特徴とする付記２６又は付記２７に記載のコンテンツ配信プログラム。
【０１３８】
（付記２９）
前記コンテンツ管理サーバに、
前記ＳＴＢ装置から受信した前記公開先情報で指定された公開先ユーザが、前記公開先情報を通知したＳＴＢ装置を使用する前記ユーザからのユーザ作成コンテンツの配信を許可されているか否かを、前記ユーザの顧客情報を格納する顧客情報管理サーバに問い合わせる処理を、実行させることを特徴とする付記２６から付記２８の何れか１項に記載のコンテンツ配信プログラム。
【０１３９】
（付記３０）
前記コンテンツ管理サーバの前記コンテンツ付加情報取得処理で、
前記公開先ユーザが、前記公開先情報を通知したＳＴＢ装置を使用する前記ユーザからのユーザ作成コンテンツの配信を許可されていない場合は、前記コンテンツ付加情報を取得することなく、前記公開情報登録処理の前記公開情報の登録を中止することを特徴とする付記２９に記載のコンテンツ配信プログラム。
【０１４０】
（付記３１）
前記ＵＩ画面配信サーバの前記ポータル画面配信処理で、
前記コンテンツ管理サーバから前記公開情報を受信すると、前記公開情報に含まれる公開先情報を用いて、前記公開先ユーザの顧客ＩＤを前記顧客情報管理サーバへ問い合わせ、該問い合わせに対し受信した前記顧客ＩＤに基づいて、前記ポータル画面を配信することを特徴とする付記２９又は付記３０に記載のコンテンツ配信プログラム。
【０１４１】
（付記３２）
前記コンテンツ管理サーバに、
前記ＳＴＢ装置から所定の前記ユーザ作成コンテンツの視聴要求を受け付ける視聴要求受付処理と、
前記視聴要求をした前記ＳＴＢ装置と、視聴要求された前記ユーザ作成コンテンツを保持する前記ＳＴＢ装置とのリンクを確立するリンク確立処理とを、実行させ、
前記リンク確立処理で、
前記視聴要求された前記ユーザ作成コンテンツを保持する前記ＳＴＢ装置の顧客ＩＤを、前記問い合わせ処理によって前記顧客管理サーバから取得し、当該顧客ＩＤを前記視聴要求をした前記ＳＴＢ装置に通知するとともに、前記視聴要求をした前記ＳＴＢ装置の顧客ＩＤを、前記視聴要求された前記ユーザ作成コンテンツを保持する前記ＳＴＢ装置へ通知することを特徴とする付記２６から付記３１の何れか１項に記載のコンテンツ配信プログラム。
【０１４２】
（付記３３）
前記コンテンツ付加情報は、
前記ユーザ作成コンテンツの前記ＳＴＢ装置への記録日時、前記ユーザ作成コンテンツの前記公開情報が前記コンテンツ管理サーバへ登録された登録日時、前記ユーザ作成コンテンツのサムネイル、前記ユーザ作成コンテンツのタイトル、前記ユーザ作成コンテンツの記録時間のうち、少なくとも２つ以上の情報が記録されていることを特徴とする付記２５から付記３２の何れか１項に記載のコンテンツ配信プログラム。
【０１４３】
（付記３４）
前記公開先情報は、
予め設定されている公開先の所定のユーザ情報、公開先のＩＰ電話番号、公開先のＩＰアドレスの何れかであることを特徴とする付記２６から付記３３の何れか１項に記載のユーザ作成コンテンツ配信プログラム。
【０１４４】
この出願は、２０１０年３月２６日に出願された日本出願特願２０１０−０７１５７２を基礎とする優先権を主張し、その開示の全てをここに取り込む。
【図１】
2011118498.tif 000003
【図２】
2011118498.tif 000004
【図３】
2011118498.tif 000005
【図４】
2011118498.tif 000006
【図５】
2011118498.tif 000007
【図６】
2011118498.tif 000008
【図７】
2011118498.tif 000009
【図８】
2011118498.tif 000010
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
ＩＰＴＶ放送サービスにより提供される配信コンテンツを受信する複数のＳＴＢ装置と、前記複数のＳＴＢ装置が保持しているユーザ作成コンテンツの情報を管理するコンテンツ管理サーバとを含むコンテンツ配信システムにおけるコンテンツ配信方法であって、
前記ユーザ作成コンテンツの情報には、少なくともコンテンツ公開先情報が含まれており、
前記ＳＴＢ装置で、
ユーザが作成したユーザ作成コンテンツの情報を、前記コンテンツ管理サーバに通知する公開通知ステップと、
他の異なるＳＴＢ装置間で通信を行うＳＴＢ装置間通信手段を介して前記他のＳＴＢ装置にユーザ作成コンテンツを配信するコンテンツ配信ステップと、
前記配信コンテンツ及びユーザ作成コンテンツを視聴するコンテンツ視聴ステップを実行し、
前記コンテンツ視聴ステップで、
前記ユーザ作成コンテンツを保持する前記ＳＴＢ装置に対し、前記ＳＴＢ装置間通信手段を介して前記ユーザ作成コンテンツの再生制御を、前記コンテンツ管理サーバを介すことなく、行うことを特徴とするコンテンツ配信方法。
【請求項２】
コンテンツ配信システムの所定のＵＩ画面を配信するＵＩ画面配信サーバが、
前記ユーザ作成コンテンツに関する所定のコンテンツ付加情報を含んだポータル画面を、所定の前記ＳＴＢ装置へ配信するポータル画面配信ステップを実行することを特徴とする請求項１に記載のコンテンツ配信方法。
【請求項３】
前記ＳＴＢ装置で、
前記ユーザ作成コンテンツを公開する旨の公開通知を、前記ユーザ作成コンテンツの公開情報を管理するコンテンツ管理サーバに通知する公開通知ステップを実行し、
前記コンテンツ管理サーバが、
前記公開通知に対し、公開する前記ユーザ作成コンテンツの公開先情報を、前記ＳＴＢ装置から取得する公開先情報取得ステップと、
前記公開通知に対し、公開する前記ユーザ作成コンテンツの前記コンテンツ付加情報を、前記ＳＴＢ装置から取得するコンテンツ付加情報取得ステップと、
取得した前記公開先情報と前記コンテンツ付加情報を関連付けて公開情報として登録する公開情報登録ステップと、
前記公開情報を格納する公開情報格納ステップとを実行することを特徴とする請求項１又は請求項２に記載のコンテンツ配信方法。
【請求項４】
前記コンテンツ管理サーバの前記公開情報登録ステップで、
登録した前記公開情報を前記ＵＩ画面配信サーバへ通知し、
前記ＵＩ画面配信サーバの前記ポータル画面配信ステップで、
前記公開情報に含まれる前記コンテンツ付加情報を含んだポータル画面を、前記付加情報に含まれる公開先情報に基づき所定の前記ＳＴＢ装置へ配信することを特徴とする請求項３に記載のコンテンツ配信方法。
【請求項５】
前記ＵＩ画面配信サーバで、
前記公開先情報を入力するための公開先情報登録画面を配信する公開先情報登録画面配信ステップと、
前記コンテンツ付加情報を入力するためのコンテンツ付加情報登録画面を配信するコンテンツ付加情報登録画面配信ステップを実行し、
前記コンテンツ管理サーバの前記公開先情報取得ステップで、
前記ＵＩ画面配信サーバに対し、前記公開先情報登録画面を前記ＳＴＢ装置へ配信する旨の指示を行い、
前記コンテンツ管理サーバのコンテンツ付加情報取得ステップで、
前記ＵＩ画面配信サーバに対し、前記コンテンツ付加情報登録画面を前記ＳＴＢ装置へ配信する旨の指示を行うことを特徴とする請求項３又は請求項４に記載のコンテンツ配信方法。
【請求項６】
前記コンテンツ管理サーバで、
前記ＳＴＢ装置から受信した前記公開先情報で指定された公開先ユーザが、前記公開先情報を通知したＳＴＢ装置を使用する前記ユーザからのユーザ作成コンテンツの配信を許可されているか否かを、前記ユーザの顧客情報を格納する顧客情報管理サーバに問い合わせることを特徴とする請求項３から請求項５の何れか１項に記載のコンテンツ配信方法。
【請求項７】
前記コンテンツ管理サーバの前記コンテンツ付加情報取得ステップで、
前記公開先ユーザが、前記公開先情報を通知したＳＴＢ装置を使用する前記ユーザからのユーザ作成コンテンツの配信を許可されていない場合は、前記コンテンツ付加情報を取得することなく、前記公開情報登録ステップの前記公開情報の登録を中止することを特徴とする請求項６に記載のコンテンツ配信方法。
【請求項８】
前記コンテンツ管理サーバで、
前記ＳＴＢ装置から所定の前記ユーザ作成コンテンツの視聴要求を受け付ける視聴要求受付ステップと、
前記視聴要求をした前記ＳＴＢ装置と、視聴要求された前記ユーザ作成コンテンツを保持する前記ＳＴＢ装置とのリンクを確立するリンク確立ステップを実行し、
前記リンク確立ステップで、
前記視聴要求された前記ユーザ作成コンテンツを保持する前記ＳＴＢ装置の顧客ＩＤを、前記問い合わせステップによって前記顧客管理サーバから取得し、当該顧客ＩＤを前記視聴要求をした前記ＳＴＢ装置に通知するとともに、前記視聴要求をした前記ＳＴＢ装置の顧客ＩＤを、前記視聴要求された前記ユーザ作成コンテンツを保持する前記ＳＴＢ装置へ通知することを特徴とする請求項３から請求項７の何れか１項に記載のコンテンツ配信方法。
【請求項９】
ＩＰＴＶ放送サービスにおけるコンテンツ配信システムであって、
前記ＩＰＴＶ放送サービスにより提供される配信コンテンツを受信する複数のＳＴＢ装置と、
前記複数のＳＴＢ装置が保持しているユーザ作成コンテンツの情報を管理するコンテンツ管理サーバとを備え、
前記ユーザ作成コンテンツの情報には、少なくともコンテンツ公開先情報が含まれており、
前記ＳＴＢ装置は、
前記配信コンテンツを受信する通信手段と、
ユーザが作成したユーザ作成コンテンツの情報を、前記コンテンツ管理サーバに通知する公開通知手段と、
他の異なるＳＴＢ装置間で通信を行うＳＴＢ装置間通信手段と、
前記ＳＴＢ装置間通信手段を介して前記他のＳＴＢ装置にユーザ作成コンテンツを配信するユーザ作成コンテンツ配信手段と、
前記配信コンテンツ及びユーザ作成コンテンツを視聴するコンテンツ視聴手段とを備え、
前記コンテンツ視聴手段は、
前記ユーザ作成コンテンツを保持する前記ＳＴＢ装置に対し、前記ＳＴＢ装置間通信手段を介して前記ユーザ作成コンテンツの再生制御を、前記コンテンツ管理サーバを介すことなく、行うことを特徴とするコンテンツ配信システム。
【請求項１０】
ＩＰＴＶ放送サービスにより提供される配信コンテンツを受信する複数のＳＴＢ装置と、前記複数のＳＴＢ装置が保持しているユーザ作成コンテンツの情報を管理するコンテンツ管理サーバとを含むコンテンツ配信システムにおけるコンテンツ配信プログラムであって、
前記ユーザ作成コンテンツの情報には、少なくともコンテンツ公開先情報が含まれており、
前記ＳＴＢ装置に、
ユーザが作成したユーザ作成コンテンツの情報を、前記コンテンツ管理サーバに通知する公開通知処理と、
他の異なるＳＴＢ装置間で通信を行うＳＴＢ装置間通信手段を介して前記他のＳＴＢ装置にユーザ作成コンテンツを配信するコンテンツ配信処理と、
前記配信コンテンツ及びユーザ作成コンテンツを視聴するコンテンツ視聴処理とを実行させ、
前記コンテンツ視聴処理で、
前記ユーザ作成コンテンツを保持する前記ＳＴＢ装置に対し、前記ＳＴＢ装置間通信手段を介して前記ユーザ作成コンテンツの再生制御を、前記コンテンツ管理サーバを介すことなく、行うことを特徴とするコンテンツ配信プログラム。
【手続補正２】
【補正対象書類名】明細書
【補正対象項目名】００１２
【補正方法】変更
【補正の内容】
【００１２】
本発明の第１のコンテンツ配信方法は、ＩＰＴＶ放送サービスにより提供される配信コンテンツを受信する複数のＳＴＢ装置と、複数のＳＴＢ装置が保持しているユーザ作成コンテンツの情報を管理するコンテンツ管理サーバとを含むコンテンツ配信システムにおけるコンテンツ配信方法であって、ユーザ作成コンテンツの情報には、少なくともコンテンツ公開先情報が含まれており、ＳＴＢ装置で、ユーザが作成したユーザ作成コンテンツの情報を、コンテンツ管理サーバに通知する公開通知ステップと、他の異なるＳＴＢ装置間で通信を行うＳＴＢ装置間通信手段を介して他のＳＴＢ装置にユーザ作成コンテンツを配信するコンテンツ配信ステップと、配信コンテンツ及びユーザ作成コンテンツを視聴するコンテンツ視聴ステップを実行し、コンテンツ視聴ステップで、ユーザ作成コンテンツを保持するＳＴＢ装置に対し、ＳＴＢ装置間通信手段を介してユーザ作成コンテンツの再生制御を、コンテンツ管理サーバを介すことなく、行う。
【手続補正３】
【補正対象書類名】明細書
【補正対象項目名】００１３
【補正方法】変更
【補正の内容】
【００１３】
本発明の第１のコンテンツ配信システムは、ＩＰＴＶ放送サービスにおけるコンテンツ配信システムであって、ＩＰＴＶ放送サービスにより提供される配信コンテンツを受信する複数のＳＴＢ装置と、複数のＳＴＢ装置が保持しているユーザ作成コンテンツの情報を管理するコンテンツ管理サーバとを備え、ユーザ作成コンテンツの情報には、少なくともコンテンツ公開先情報が含まれており、ＳＴＢ装置は、配信コンテンツを受信する通信手段と、ユーザが作成したユーザ作成コンテンツの情報を、コンテンツ管理サーバに通知する公開通知手段と、他の異なるＳＴＢ装置間で通信を行うＳＴＢ装置間通信手段と、ＳＴＢ装置間通信手段を介して他のＳＴＢ装置にユーザ作成コンテンツを配信するユーザ作成コンテンツ配信手段と、配信コンテンツ及びユーザ作成コンテンツを視聴するコンテンツ視聴手段とを備え、コンテンツ視聴手段は、ユーザ作成コンテンツを保持するＳＴＢ装置に対し、ＳＴＢ装置間通信手段を介してユーザ作成コンテンツの再生制御を、コンテンツ管理サーバを介すことなく、行う。
【手続補正４】
【補正対象書類名】明細書
【補正対象項目名】００１４
【補正方法】変更
【補正の内容】
【００１４】
本発明の第１のコンテンツ配信プログラムは、ＩＰＴＶ放送サービスにより提供される配信コンテンツを受信する複数のＳＴＢ装置と、複数のＳＴＢ装置が保持しているユーザ作成コンテンツの情報を管理するコンテンツ管理サーバとを含むコンテンツ配信システムにおけるコンテンツ配信プログラムであって、ユーザ作成コンテンツの情報には、少なくともコンテンツ公開先情報が含まれており、ＳＴＢ装置に、ユーザが作成したユーザ作成コンテンツの情報を、コンテンツ管理サーバに通知する公開通知処理と、他の異なるＳＴＢ装置間で通信を行うＳＴＢ装置間通信手段を介して他のＳＴＢ装置にユーザ作成コンテンツを配信するコンテンツ配信処理と、配信コンテンツ及びユーザ作成コンテンツを視聴するコンテンツ視聴処理とを実行させ、コンテンツ視聴処理で、ユーザ作成コンテンツを保持するＳＴＢ装置に対し、ＳＴＢ装置間通信手段を介してユーザ作成コンテンツの再生制御を、コンテンツ管理サーバを介すことなく、行う。
【国際調査報告】
2011118498.tif 000011
2011118498.tif 000012
2011118498.tif 000013
2011118498.tif 000014